(57)【要約】【課題】レンズ支持体の傾きを防止でき且つ適正な駆動を得ることができるレンズ駆動装置、カメラ及びカメラ付き携帯電話を提供する。【解決手段】本発明において、スプリング９は環状の内周側部９ａと、環状の外周側部９ｂと、内周側部９ａと外周側部９ｂとを連結する複数の腕部９ｃとを有し、内周側部９ａをレンズ支持体７の光軸方向一端に配置し且つ外周側部９ｂをヨーク３と筐体部６との間に配置してあり、ヨーク３に対してレンズ支持体７を光軸方向に移動自在に支持しており、レンズ支持体７の光軸方向一端とスプリング９の内周側部９ａとの間には、補助部材８が設けてあり、補助部材８には、スプリング９の内周側部９ａにおいて少なくとも腕部９ｃの連結端２１又はその周囲部分を載置する載置面が設けてある。【選択図】図１
2008310237.tif 000002
【特許請求の範囲】
【請求項１】
環状のヨークと、ヨークの内周側に配置され且つ外周にコイルが固定されたレンズ支持体と、マグネットと、スプリングと、筐体部とを備え、マグネットはヨークの外周壁の内周側に配置されており、スプリングは環状の内周側部と、環状の外周側部と、内周側部と外周側部とを連結する複数の腕部とを有し、内周側部をレンズ支持体の光軸方向一端に配置し且つ外周側部をヨークと筐体部との間に配置してあり、ヨークに対してレンズ支持体を光軸方向に移動自在に支持しており、コイルに通電して生じる電磁力によりレンズ支持体をレンズの光軸方向に移動するレンズ駆動装置であって、
レンズ支持体の光軸方向一端とスプリングの内周側部との間には、補助部材が設けてあり、補助部材には、スプリングの内周側部において少なくとも腕部の連結端又はその周囲部分を載置する載置面が設けてあることを特徴とするレンズ駆動装置。
【請求項２】
補助部材は、環状であり、内周縁と外周縁との間の巾がスプリングの内周側部と略同じ幅に形成していることを特徴とする請求項１に記載のレンズ駆動装置。
【請求項３】
請求項１又は２に記載のレンズ駆動装置を備えることを特徴とするカメラ。
【請求項４】
請求項３に記載のカメラを搭載したことを特徴とするカメラ付き携帯電話。
【発明の詳細な説明】
【技術分野】
【０００１】
本発明は、小型カメラのレンズ駆動装置に関する。
【背景技術】
【０００２】
この種のレンズ駆動装置において、特許文献１には、スプリング（前側スプリング）が環状の内周側部と、環状の外周側部と、内周側部と外周側部とを連結する複数の腕部とを有しており、スプリングの内周側部をレンズ支持体の光軸方向前端（光軸方向一端）に配置し且つ外周側部をヨークと筐体部（前側筐体部）との間に配置する構成が開示されている。
【０００３】
しかし、レンズ支持体の光軸方向一端は、必ずしも連続する平坦面になっているとは限らず、図１に示すレンズ支持体のように、周方向の一部に凹みが形成されていることがある。特に、レンズ駆動装置の製造時において、予めレンズが組み込まれたレンズ支持体を用いて組立てる場合には、レンズ支持体に組み込むレンズの位置を調整する為、レンズ支持体の端面には凹みや切り欠きを形成しているものがある。
【０００４】
【特許文献１】特開２００６−３２３２５１号公報
【発明の開示】
【発明が解決しようとする課題】
【０００５】
レンズ支持体の一端が平坦でないところに、上述したスプリングの内周側部を載置すると、スプリングの内周側部において、腕部の連結端又はその周囲部分がレンズ支持体に当接している箇所と、当接していない箇所（浮いた状態）が生じて、各腕部に作用するばね特性に違いが生じるという不都合がある。このように、各腕部に作用するばね特性が異なると、レンズ支持体に傾きが生じたり、適正な駆動が得られなくなったりするおそれがある。
【０００６】
そこで、本発明は、レンズ支持体の傾きを防止でき且つ適正な駆動を得ることができるレンズ駆動装置、カメラ及びカメラ付き携帯電話の提供を目的とする。
【課題を解決するための手段】
【０００７】
請求項１に記載の発明は、環状のヨークと、ヨークの内周側に配置され且つ外周にコイルが固定されたレンズ支持体と、マグネットと、スプリングと、筐体部とを備え、マグネットはヨークの外周壁の内周側に配置されており、スプリングは環状の内周側部と、環状の外周側部と、内周側部と外周側部とを連結する複数の腕部とを有し、内周側部をレンズ支持体の光軸方向一端に配置し且つ外周側部をヨークと筐体部との間に配置してあり、ヨークに対してレンズ支持体を光軸方向に移動自在に支持しており、コイルに通電して生じる電磁力によりレンズ支持体をレンズの光軸方向に移動するレンズ駆動装置であって、レンズ支持体の光軸方向一端とスプリングの内周側部との間には、補助部材が設けてあり、補助部材には、スプリングの内周側部において少なくとも腕部の連結端又はその周囲部分を載置する載置面が設けてあることを特徴とする。
【０００８】
請求項２に記載の発明は、請求項１に記載の発明において、補助部材は、環状であり、内周縁と外周縁との間の巾がスプリングの内周側部と略同じ幅に形成していることを特徴とする。
【０００９】
請求項３に記載の発明は、請求項１又は２に記載のレンズ駆動装置を備えることを特徴とするカメラである。
【００１０】
請求項４に記載の発明は、請求項３に記載のカメラを搭載したことを特徴とするカメラ付き携帯電話である。
【発明の効果】
【００１１】
請求項１に記載の発明によれば、レンズ支持体の光軸方向一端には、スプリングの内周側部を載置する補助部材を設けてあり、スプリングの内周側部において、腕部の連結端又はその周囲部分が各腕部において均等に補助部材に支持することができる。従って、スプリングの内周側部において、腕部の連結端及びその周囲部分がレンズ支持体に当接している箇所と、当接していない箇所（浮いた状態）が生じることを防止でき、各腕部に作用するばね特性を均等にすることができるから、レンズ支持体の傾きを防止でき且つ適正な駆動を得ることができる。
【００１２】
請求項２に記載の発明によれば、請求項１に記載の作用効果を奏することができると共に、スプリングの内周側部を補助部材に重ねるように配置すれば良いので、スプリングの位置決めが容易である。
【００１３】
請求項３に記載の発明によれば、請求項１又は２に記載の作用効果を奏するカメラを提供できる。
【００１４】
請求項４に記載の発明によれば、請求項３に記載の作用効果を奏するカメラ付き携帯電話を提供できる。
【発明を実施するための最良の形態】
【００１５】
以下に、添付図面の図１〜図６を参照して本発明の実施の形態を説明する。図１は本発明の実施の形態に係るレンズ支持体と補助部材とスプリングとの組み付け部分を光軸方向前側から見た分解斜視図であり、図２は図１に示すレンズ支持体と補助部材とスプリングとの組み付け部分を光軸方向前側から見た斜視図であり、図３は図１に示すレンズ支持体と補助部材とスプリングとの組み付け部分を光軸方向後側から見た斜視図であり、図４は本発明の実施の形態に係るレンズ駆動装置の分解斜視図であり、図５は図６のＡ−Ａ断面図であり、図６は本実施の形態に係るレンズ駆動装置の概観を示す斜視図である。
【００１６】
本実施の形態に係るレンズ駆動装置１は、携帯電話に組み込まれるオートフォーカスカメラのレンズ駆動装置である。このレンズ駆動装置１は、図４に示すように、環状のヨーク３と、レンズ支持体７と、補助部材８と、前側スプリング（スプリング）９と、後側スプリング１１と、ヨーク３の後側に配置される後側筐体部（筐体）５と、ヨーク３の前側に配置される前側筐体部（筐体）６とを備えており、レンズ支持体７には、外周にコイル１５が固定されている。ヨーク３と後側スプリング１１との間には絶縁体（スペーサ）１７が配置されている。このレンズ駆動装置１は、縦横が約１０ｍｍ、高さが約３．５ｍｍで非常に小さいものである。
【００１７】
ヨーク３は前側から見て外周が平面視四角形であり、内周が平面視円形になっており、外周壁３ａと、内周壁３ｂと、外周壁３ａと内周壁３ｂとを連結する連結壁３ｃとからなり、外周壁３ａと内周壁３ｂと連結壁３ｃとで断面がコ字形状又はＵ字形状を成している。
【００１８】
ヨーク３の各角部１４において、外周壁３ａの内周面にはマグネット１３が固定されている。マグネット１３は、角部１４のみに設けてあり、内周壁３ｂに形成された切除部１２に対応する位置にはない。
【００１９】
レンズ支持体７は、ヨーク３の内周側を光軸方向（前後方向）に移動自在に設けられている。このレンズ支持体７は、円筒形状のレンズ保持部２０と、レンズ保持部２０の光軸方向後側に設けた環状のフランジ部２２とから構成されており、レンズ保持部２０とフランジ部２２とは別体に製造したものを脱着自在に嵌合固定している。
【００２０】
レンズ保持部２０は略円筒形状であり、レンズ保持部２０の内周には予めレンズが固定されている（尚、各図ではレンズを省略して示している）。
【００２１】
レンズ保持部２０には、レンズ駆動装置１の各部品を組み付ける前に、予めレンズを組みつけてあるので、レンズ保持部２０の前側端（光軸方向一端）には、図１に示すように、レンズ組み付け時におけるレンズの位置調整用の凹部７ａが形成されている。この為、レンズ支持体７の光軸方向一端は、凹凸になっている。また、レンズ支持体７の光軸方向一端には、補助部材８の挿入を案内する案内壁７ｂと、案内壁７ｂの外周に設けて補助部材８を支持する支持面（載置面）７ｃとが形成されている。
【００２２】
補助部材８は、円環状であり両面（光軸方向の両面）が共に周方向に連続する平坦になっている。補助部材８における内周縁と外周縁との間の巾Ｗは、後述する前側スプリング９の内周側部９ａの巾Ｖと略同じであるが、本実施の形態では、補助部材８の巾Ｗの方がスプリングの内周側部９ａの巾Ｖよりもわずかに狭くしてあり、前側スプリングの内周側部９ａが補助部材８に載置されたときに腕部９ｃの連結端２１がわずかに径方向外周側に位置するようになっている（図３参照）。
【００２３】
前側スプリング（スプリング）９は、平面視四角形の環状の外周側部９ｂと、平面視円環状の内周側部９ａとが設けてあり、内周側部９ａはレンズ支持体７に取り付けてあり、外周側部９ｂはヨーク３と前側筐体部６との間に挟持して固定されている。内周側部９ａと外周側部９ｂとは弾性変形可能な腕部９ｃにより連結してある。腕部９ｃは本実施の形態では、４箇所に設けてある。
【００２４】
前側スプリング９の外周側部９ｂにおいて、各角部には前側筐体部６の脚部６ａを配置する切除部１８が形成してある。この切除部１８は前側筐体部６の接着剤流入孔６ｂの位置に対応して設けてある。
【００２５】
図４に示すように、後側スプリング１１は、全体として環状の板ばねであるが、本実施の形態では、左右に分割した一方側部３０と他方側部３２とから構成されている。後側スプリング１１の各外周側部（他端部）１１ｂ、１１ｂは、絶縁体（スペーサ）１７を介して後側筐体部５とヨーク３との間に挟持されており、絶縁体１７は後側スプリング１１とヨーク３との間の電気的絶縁を図っている。各内周側部（一端部）１１ａ、１１ａは、レンズ支持体７のフランジ部２２の後端に接着固定してある。後側スプリング１１の各内周側部１１ａと外周側部１１ｂとは弾性変形可能な腕部１１ｃにより連結してある。
【００２６】
本実施の形態では、後側スプリング１１を構成する一方側部３０には端子３３が形成されており、他方側部３２には端子３５が形成されて各端子３３、３５が電源供給端子に接続されるようになっている。尚、一方側部３０と他方側部３２とは、各々コイル１５にハンダ付け等により電気的に接続されており、後側スプリング１１からコイル１５に通電するようになっている。
【００２７】
コイル１５は、ヨーク３の外周壁３ａと内周壁３ｂとの間に配置するが、マグネット１３がある角部１４ではマグネット１３と内周壁３ｂとの間に位置し、レンズ支持体７と共にヨーク３内を前後方向に移動するようになっている。
【００２８】
後側筐体部５は、外周形状が平面視四角形であり、ヨーク３の外周に位置する外壁５ａと、ヨーク３の後側に位置する基底部５ｂとを有しており、後側筐体部５の基底部５ｂには後側スプリング１１の外周側部１１ｂが載置される。
【００２９】
平面視四角形の後側筐体部５において、外壁５ａは各角部に立設されており、外壁５ａの内周側面はヨーク３の外周壁３ａに対面している。
【００３０】
前側筐体部（筐体部）６はヨーク３の前側に配置されており、ヨーク３との間に前側スプリング９の外周側部９ｂを挟んで保持すると共に、ヨーク３の外周で後側筐体部５と連結固定してレンズ駆動装置１の筐体を形成している。
【００３１】
この前側筐体部６は、平面視四角形を成し、各角部から脚部６ａが後側に向けて立設されており、脚部６ａの内周側に後側筐体部５の外壁５ａが位置して、脚部６ａの先端が後側筐体部５の段部５ｃに当接している。
【００３２】
前側筐体部６の前面には各角部に接着剤流入孔６ｂが形成されている。この接着剤流入孔６ｂは脚部６ａの内周側に位置し、接着剤流入孔６ｂから流入した接着剤が脚部６ａの内周面とヨーク３の外周壁３ａとの間に流入するようになっている。
【００３３】
次に、本発明の実施の形態に係るレンズ駆動装置１の組立て、作用及び効果について説明する。レンズ駆動装置１の組立ての前に、予めレンズ支持体７のレンズ保持部２０には、内周にレンズが固定してあり、レンズ保持部２０の後部にフランジ部２２の内周側を配置してレンズ保持部２０に対して相対的にフランジ部２２を回転することにより、脱着自在に嵌合固定しておく。
【００３４】
レンズ駆動装置１の組立ては、図４に示すように、後側筐体部５に後側スプリング１１、スペーサ１７、マグネット１３を内部に固定したヨーク３、コイル１５を固定したレンズ支持体７、補助部材８、前側スプリング９及び前側筐体部６を組み付ける。
【００３５】
図１に示すように、レンズ支持体７の前端（光軸方向の一端）には、案内壁７ｂの外周に沿って補助部材８を挿入して支持面７ｃに載置し、前側スプリング９の内周側部９ａを補助部材８に載置して組み付ける。
【００３６】
本実施の形態によれば、レンズ支持体７と前側スプリング９との間には、前側スプリング９の内周側部９ａを載置する環状の補助部材８を設けてあるので、前側スプリング９の内周側部９ａは均等に補助部材８の平坦面に当接して支持することができる。従って、前側スプリング９の内周側部９ａにおいて、腕部９ｃの連結端２１及びその周囲部分がレンズ支持体に当接している箇所と、当接していない箇所（浮いた状態）が生じることを防止でき、各腕部９ｃに作用するばね特性を均等にすることができるから、レンズ支持体７の傾きを防止でき且つ適正な駆動を得ることができる。
【００３７】
特に、レンズ支持体７が予めレンズを収納したレンズ保持部２０とレンズ保持部２０にフランジ部２２を嵌合固定する本実施の形態では、レンズ保持部２０には、レンズ組み付け時にレンズの位置調整等の為に、レンズ保持部２０の支持体７の前端（光軸方向の一端）に凹凸を形成する必要があるので、係る構成のレンズ支持体７を使用するときには、有効である。
【００３８】
補助部材８は、レンズ支持体７の前端に設けた案内壁７ｂに沿って配置できるので、組み付けがし易い。
【００３９】
前側スプリング９は、内周側部９ａを補助部材８に重ねるように配置すれば良いので、位置決めが容易である。
【００４０】
本発明は、上述した実施の形態に限らず、本発明の要旨を逸脱しない範囲で種々変形可能である。
【００４１】
例えば、レンズ支持体７は、レンズ保持部２０とフランジ部２２とが一体のものであっても良い。
【００４２】
レンズ支持体７には、後側スプリング１１を設けることに限らず、レンズ支持体７は前側スプリング９のみで弾性支持するものであっても良い。
【００４３】
請求項１に記載の発明のおいては、補助部材８は連続した環状に限らず、レンズ支持体の光軸方向一端における周囲に部分的に配置するものであっても良い。
【図面の簡単な説明】
【００４４】
【図１】本発明の実施の形態に係るレンズ支持体と補助部材とスプリングとの組み付け部分を光軸方向前側から見た分解斜視図である。
【図２】図１に示すレンズ支持体と補助部材とスプリングとの組み付け部分を光軸方向前側から見た斜視図である。
【図３】図１に示すレンズ支持体と補助部材とスプリングとの組み付け部分を光軸方向後側から見た斜視図である。
【図４】本発明の実施の形態に係るレンズ駆動装置の分解斜視図である。
【図５】図６のＡ−Ａ断面図である。
【図６】本実施の形態に係るレンズ駆動装置の概観を示す斜視図である。
【符号の説明】
【００４５】
１      レンズ駆動装置
３      ヨーク
５      後側筐体（筐体部）
６      前側筐体（筐体部）
７      レンズ支持体
８      補助部材
９      前側スプリング（スプリング）
９ａ    内周側部
９ｂ    外周側部
９ｃ    腕部
１３    マグネット
１５    コイル
１９    コイル固定部
【図１】
2008310237.tif 000003
【図２】
2008310237.tif 000004
【図３】
2008310237.tif 000005
【図４】
2008310237.tif 000006
【図５】
2008310237.tif 000007
【図６】
2008310237.tif 000008